(57)【要約】      （修正有）【課題】自動車を運転する場合、エンジンスターターキィがあれば例え幼児でも無免許者であっても運転することが可能なシステムであり、運転無資格者が起こす事故が増え続けている。酒酔い運転による事故、車の盗難等を予防するシステムを提供する。【解決手段】免許証と同じ情報を入力された情報カードを使うことが、必須条件となるので免許所を持たない者の運転を拒否できる。免許証所持者でも免許書条件と車種条件が一致しなければエンジン始動は拒否される。故にその自動車を運転できるのは、運転資格適格者の運転者情報カードとスターターキィを所持することが必要条件となります。情報管理装置とアルコール検知器を連動することで、飲酒者の運転を拒絶できる。情報管理装置にＧＰＳ機能を付加することで、その車両の軌跡を追うことが出来るので盗難車両及び轢き逃げ車両の特定も可能となる。以上運転無資格者の運転を拒絶できることを特徴とするシステム。【選択図】図１
2008121654.tif 000002
【特許請求の範囲】
【請求項１】
運転者の情報（運転免許証）を入力したカードの情報を読み取り、データベースとの応答結果で当該車両のエンジン始動を制御するシステムで、当該車両への運転資格が無い不適格者（無免許等）による運転行為を防ぐシステム。
【請求項２】
運転者の情報を管理している免許証データベースとネットワークを介して、通信装置（携帯電話機等）を使い情報の照合及び応答することを特徴とする、［請求項１］に記載したシステムのカード情報を読取及びその情報を管理する装置。
【請求項３】
［請求項２］に記載したカード情報を読取及び情報を管理する装置は、ネットワークと相互間での情報通信を行なうため携帯電話と同様のアドレスを持つ通信装置と一体の装置。
【請求項４】
情報を管理する装置は、運転者の免許証内にある資格情報には大型・普通・一種・二種があるように、当該車の車種に沿った自動車検査証情報、大型・普通・特殊・牽引・第一種・第二種等の車種情報と検査有効期限情報が入力されている。
【請求項５】
運転者の情報を管理するデータベースからの情報とネットワークを介して、エンジンの始動を制御することを特徴とする［請求項２］に制御を受ける電流の切断又は接続するスウィッチ装置。
【請求項６】
運転者の情報を入力したカードと運転者情報を管理するデータベースの運転当事者の情報を照合して、その結果運転資格適格者と認定さらに運転する当該車両の車種データと照合により、エンジン始動が可能になることを特徴とするシステム。
【請求項７】
［請求項２］［請求項３］に記載した情報カード管理装置は、自動車検査証と同じ情報を入力されている、そして自動車検査証と同じ情報が入力されたデータベースとネットワークで接続されていることを特徴とするシステム。
【発明の詳細な説明】
【発明の詳細な説明】
【０００１】
【技術分野】
【０００２】本発明は、自動車を運転する時、運転者の資格を入力した情報カード（運転免許証と同じ内容）の情報内容を、情報読取装置（カードリーダー）及び、情報管理装置（当該自動車検査証と同じ内容の情報を入力済み）を通して運転免許証情報と運転免許データベース及び、車両検査データベースからの情報を照合して、エンジン始動の制御を行なうシステムに関する。
【背景技術】
【０００３】周知の様に自動車は、エンジンスターターキィを所持したものが運転できるシステムです。故に、自動車の運転資格を持つ運転資格適格者（運転免許証所持者）だけではなく、エンジンスターターキィを所持した運転資格のない無資格者（無免許者）であっても運転することができる、又車両検査有効期限が過ぎても当該車両を運転出来るシステムです。
【発明が解決する課題】
【０００４】従来のシステムは、車のエンジン（ガソリン・ディゼル）の始動はエンジンスターターキィによってエンジン始動をコントロールする為、運転免許証の交付を受けた運転適格者だけではなく、免許停止・免許失効者また無免許者等幼児・子供でも、エンジンスターターキィを所持したものが運転できるシステムのため、無法・無資格運転者の車が起こす事故が増え続けています。
【課題を解決する手段】
【０００５】本発明の目的は、運転資格の無い無資格者による自動車運転（無免許運転等）を、又自動車検査有効期間失効による当該車両の運転をエンジンの始動をさせない事により防ぐ事を目的とする。前項問題を解決するために、自動車は本来エンジンとバッテリィの間に、エンジンスターターキィが介在して自動車のエンジンを始動させるシステムである。
【０００６】運転資格、適格者の資格者情報（運転免許証と同じ内容）を情報カードに入力する、同じ情報を運転免許データベースにも入力する。前記情報カードをカードリーダーで読み取り、ネットワークを介して運転者データベースよりの情報をカード情報管理装置にて照合、その結果、照合が一致すると車のバッテリーとエンジンスターターキィそしてエンジンの内、バッテリーとスターターキィの間に設けてあるカード情報管理装置に制御されたスウィッチ装置がオン状態になる。その結果エンジンの始動が可能な条件を整えるシステムを提供することです。
【０００７】車両検査証（車検証）と同じ情報をカード情報管理装置に入力する。同じ情報を車両検査データベースに入力、ネットワークおよび通信装置を介して、情報管理装置と接続データの照合ができる。
【発明の効果】
【０００８】（行程）前提条件として運転免許を所持していることが必要となる。運転免許証に記載された内容と同じ情報を入力した情報カード。運転免許証を持たないものは、情報カードを発行されることはないので、エンジン始動をさせることは出来ない。▲１▼  上記情報カードをカード情報読取装置（以降カードリーダー）に差し込む、読み取られた情報は通信装置を接続した情報カード管理装置を介し、ネットワークを通じて運転免許データベースの情報との照合を行なう。▲２▼  その結果を受信する無線通信装置は、［請求項５］に記載するスウィッチ装置が接続された情報管理装置で情報を照合して一致すると電流が流れるＯＮ（通電状態）となりエンジンの始動が可能となる。▲３▼  運転免許が免許停止状態や免許失効又は、条件外車両の場合は［請求項５］に記載のスウィッチ装置はオフ状態を維持するためエンジンを始動させることは出来ない。▲４▼  運転免許証の情報を入力した情報カードの情報と情報管理装置に内蔵された車種情報（普通・大型・一種・二種等）との一致がないと、エンジンスターターキィを所持してもエンジンを始動させることが出来ないシステムなので無免許運転・無資格運転が防げる。
【発明を実施する為の最良の方法】
【０００９】以下に、本発明について図を参照しながら説明します。図面はすべて本発明における構成図です。
【００１０】カードリーダー２と情報カード管理装置３そして通信装置４は、相関関係にある三位一体の装置になります。上記一体の装置を以後、情報カード管理システム１３と記述します。１  エンジンスタータースィッチ７をオン状態にする。２  情報カード管理システム１３がカード入力、情報読み取り可能の状態になります。３  運転免許証情報を入力した情報カード（以後カードと記述します）１を、カードリーダー２に挿入します。４  情報カード管理システム１３は据え付けられた当該車両に対して入力されたカード１の情報のうち車種（大型・小型・第一種・第二種等）の情報の適合又は不適合をはかり情報が適合している場合ネットワーク１１を通じて運転者情報のデータベース１２との応答を行なう。５  前項４で車種情報不適格の場合は、スィッチ装置５に制御された電気はオフ状態が続きエンジンは始動できません。６  前項４で情報カード適合の場合情報カード管理システム１３は、内蔵された通信装置４を通じて運転情報データベース１２の情報（免許の失効など）との適合又は不適合を計ると共に自動車検査証データベース１４に検査有効期限の問い合わせ照合を計る。７  不適合の場合は前５項と同じ状態でエンジン始動は出来ません。適合の場合管理装置３はスィッチ装置５二内蔵された電気接続又は切断装置をオン状態にすることでスタータースィッチを回せばエンジンは始動する。
【００１１】エンジンを止める条件は自動車の速度が０ｋｍとなり止ることです。通信装置が圏外のときは、受発信可能になるまでエンジン始動可能状態に置く、そして走行可能状態のままで、通信県内に入ると同時に情報カードの照合を行い、情報が一致すれば走行可能状態が継続する。又照合が否決のときは走行状態であれば速度が０ｋｍ停止状態になったとき強制的にエンジンをストップさせ電流は、切断状態となり以降走行は不可能となる。
【産業上利用の可能性】
【００１２】通信装置に携帯電話を使いＧＰＳ機能を付加することで車両の特定が可能になります。車両の盗難も通信装置が車両本体から離されるまで、その位置が特定できるので盗難車捜査の一助になると思われます。又通過車両の特定もＧＰＳ機能で確定が出来ます。及び情報カード管理装置との関係から運転者も予想できるので、ひき逃げ事故等も出来にくいシステムとなります。アルコール検知器をカード情報管理装置に接続すれば、酒酔い運転の防止にもなります。
【００１３】情報カード管理システム１３に暗証番号を付与することで車両盗難等も防ぐ手段となります。
【図面の簡単な説明】
【００１４】
【符号の説明】
１    情報カード（運転免許証と同じ情報を入力）２    カードリーダー３    カード情報管理装置４    情報通信装置（携帯電話機を含む）５    スイッチ装置（電気切断及び接続）６    バッテリー７    エンジンスターターキィシリンダーとキィ８    エンジン９    アルコール感知装置１０  通信基地局１１  ネットワーク１２  運転免許証データベース１３  車両検査データベース１４  情報管理システム
【図１】
2008121654.tif 000003
【手続補正書】
【提出日】平成19年2月3日(2007.2.3)
【手続補正１】
【補正対象書類名】明細書
【補正対象項目名】００１４
【補正方法】変更
【補正の内容】
【００１４】
【図１】は本発明を実行するための構成図である
【符号の説明】
１    情報カード（運転免許証と同じ情報を入力）
２    カードリーダー
３    カード情報管理装置
４    情報通信装置（携帯電話機を含む）
５    スイッチ装置（電気切断及び接続装置）
６    バッテリー（電源）
７    エンジンスターターキィシリンダーそしてキィ
８    エンジン
９    アルコール呼気感知装置
１０  通信基地局
１１  ネットワーク
１２  運転免許証データベース
１３  車両検査証データベース
１４  情報管理システム
【手続補正書】
【提出日】平成19年6月22日(2007.6.22)
【手続補正１】
【補正対象書類名】明細書
【補正対象項目名】全文
【補正方法】変更
【補正の内容】
【発明の詳細な説明】
【発明の詳細な説明】
【０００１】
【技術分野】
【０００２】本発明は、自動車を運転する時、運転者の資格を入力した情報カード（運転免許証と同じ内容）の情報内容を、情報読取装置（カードリーダー）及び、情報管理装置（当該自動車検査証と同じ内容の情報を入力済み）を通して運転免許証情報と運転免許データベース及び、車両検査データベースからの情報を照合して、エンジン始動の制御を行なうシステムに関する。
【背景技術】
【０００３】周知の様に自動車は、エンジンスターターキィを所持したものが運転できるシステムです。
故に、自動車の運転資格を持つ運転資格適格者（運転免許証所持者）だけではなく、エンジンスターターキィを所持した運転資格のない無資格者（無免許者）であっても運転することができる、又車両検査有効期限が過ぎても当該車両を運転出来るシステムです。
【発明が解決する課題】
【０００４】従来のシステムは、車のエンジン（ガソリン・ディゼルン等）の始動はエンジンスターターキィによってエンジン始動をコントロールする為、運転免許証の交付を受けた運転資格適格者だけではなく、免許停止・免許失効者また無免許者等幼児・子供でも、エンジンスターターキィを所持したものが運転できるシステムのため、無法・無資格運転者の車が起こす事故が毎年おきています。
【課題を解決する手段】
【０００５】本発明の目的は、運転資格の無い無資格者による自動車運転（無免許運転等）を、又自動車検査有効期間失効による当該車両の運転をエンジンの始動をさせない事により防ぐ事を目的とする。
前項問題を解決するために、自動車は本来エンジンとバッテリィの間に、エンジンスターターキィが介在して自動車のエンジンを始動させるシステムであるから、その間にエンジンスターターキィ以外の方法を接続させ両方をＯＮ状態に出来た場合だけ通電状態となり、エンジンをかけることが出来るシステムとする。
【０００６】運転資格、適格者の資格者情報（運転免許証と同じ内容）を情報カードに入力する、同じ情報を運転免許データベースにも入力する。
前記情報カードをカードリーダーで読み取り、カード情報管理装置・ネットワークを介して運転者データベースよりの情報を照合、その結果、照合が一致すると車のバッテリーとエンジンスターターキィそしてエンジンの内、バッテリーとスターターキィの間に設けてあるカード情報管理装置に制御されたスウィッチ装置がオン状態になる。
その結果エンジンの始動が可能な条件を整えるシステムを提供することです。
【０００７】車両検査証（車検証）と同じ情報を情報カードに入力、カードリーダーを介して情報管理装置に入力する。
同じ情報を車両検査データベースに入力、ネットワークおよび通信装置（ＧＰＳシステムを内蔵）を介して、情報管理装置と接続、データの照合ができる。
有効車検期間の失効等による、不正運行を防ぐことあ出来ます。
車両検査情報の情報管理装置への入力は自動車メーカー等車検を、扱う個人又は企業が行なう。
【発明の効果】
【０００８】前提条件として運転免許を所持していることが必要となる。
運転免許証に記載された内容と同じ情報を入力した情報カード。
運転免許証を持たないものは、情報カードを発行されることはないので、エンジン始動をさせることは出来ない。
作用行程順序
（１）名義変更・車両検査を行なう行政機関が発行する車検証
車検証と同じ情報入力した情報カードを、情報カード管理装置に入力（売買による名義変更時も含む）この情報カードを以後車両カードといいます。
この車両カードは車検時及び車検証記載事項変更時に情報カード管理装置に入力し直す必要があります。
（２）公安委員会等、行政機関が発行した運転免許証について
運転免許証と同じ内容の情報カードを作成する。
以後運転者カードといいます。
（３）これより運転行動になります
車両カード・運転者カードの順序でカードリーダーに挿入、情報カード管理装置は入力された情報の照合を運転情報カード管理ベースに通信装置及び通信基地局を介して問い合わせを掛ける
車両カードは車検証記載事項変更時するとき以外は、一回読み取りを行えば良いシステムにする。
（４）車両カードを管理する車両情報管理ベースは登録済みの、当該車両の情報との照合を行い当該車両の情報管理装置へ合否の応答通信する
結果が合格の場合は、情報管理装置に連動する電気スイッチは接続ＯＮ状態を継続する。
結果が否決の場合は、上記スイッチはＯＦＦ状態となる。
（５）運転者カードはエンジンキィと同じで、車両のエンジンを掛けるとき必ずカードリーダーに挿入するシステムとする。情報カード管理装置は、運転者カードの情報を運転者情報管理ベースに問い合わせを掛け情報内容の合否の判定を受ける。
結果が合格の場合は、情報管理装置に連動する電気スイッチは接続ＯＮ状態を継続する。
結果が否決の場合は、情報管理装置に連動するスイッチはＯＦＦ状態となる。
（６）結果として、運転者カードを持たないもの、無資格運転を未然に阻止できる。
（７）通信システムにＧＰＳを内臓すれば、盗難車の発見・車を使った犯罪者の位置の確認等にも流用が可能です。
【発明を実施する為の最良の方法】
【０００９】以下に、本発明について図を参照しながら説明します。
図面はすべて本発明における構成図です。
【００１０】カードリーダー２と情報カード管理装置３そして通信装置（ＧＰＳシステム内蔵）４は、相関関係にある三位一体の装置になります。
上記一体の装置を以後、情報カード管理システム１３と記述します。
１  エンジンスタータースイッチ７をオン状態にする。
２  情報カード管理システム１３がカード入力、情報読み取り可能の状態になります。
３  運転免許証情報を入力した情報カード（以後カードと記述します）１を、カードリーダー２に挿入します。
４  情報カード管理システム１３は据え付けられた当該車両に対して入力されたカード１の情報のうち車種（大型・小型・第一種・第二種等）の情報の適合又は不適合をはかり情報が適合している場合ネットワーク１１を通じて運転者情報のデータベース１２との応答を行なう。
５  前項４で車種情報不適格の場合は、スイッチ装置５に制御された電気はオフ状態が続きエンジンは始動できません。
６  前項４で情報カード適合の場合情報カード管理システム１３は、内蔵された通信装置４を通じて運転情報データベース１２の情報（免許の失効など）との適合又は不適合を計ると共に自動車検査証データベース１４に検査有効期限の問い合わせ照合を計る。
７  不適合の場合は前５項と同じ状態でエンジン始動は出来ません。
適合の場合管理装置３はスイッチ装置５に内蔵された電気接続又は切断装置をＯＮ状態にすることでスタータースイッチを回せばエンジンは始動する。
【００１１】エンジンを止める条件は自動車の速度が０ｋｍとなり止ることです。
電気接続又は切断装置は通常ＯＮ状態にあり、情報管理装置と運転情報データベースとの通信結果によりＯＦＦになることもあります
通信装置が圏外のときは、受発信可能になるまでエンジン始動可能状態に置く、そして走行可能状態のままで、通信圏内に入ると同時に情報カードの照合を行い、情報が一致すれば走行可能状態が継続する。
又照合が否決のときは走行状態であれば、運転情報データベースは速やかに運転情報データ管理者へ通告するシステムを持つ。
前記管理者は速度が０ｋｍ停止状態になったとき強制的に電流をＯＦＦ、切断状態とすることも出来以降走行は不可能となる。
【００１２】本システムにおける通信システムの通信基地局では、車載通信装置にＧＰＳ機能を備えた通信機器（携帯電話機等を含む）搭載した車両の位置検索および、通過時間等の通信内容の記録表示・プリントアウト等の機能を備える。
【産業上利用の可能性】
【００１３】通信装置にＧＰＳ機能を搭載した携帯電話を使用することで車両の特定が可能になります。
車両の盗難も通信装置が車両本体から離されるまで、その位置が特定できるので盗難車捜査の一助になると思われます。
又通過車両の特定もＧＰＳ機能で確定が出来ます。
及び情報カード管理装置との関係から運転者も予想できるので、ひき逃げ事故等も出来にくいシステムとなります。
アルコール検知器をカード情報管理装置に接続すれば、酒酔い運転の防止にもなります。
【００１４】情報カード管理システム１３に暗証番号を付与することで車両盗難等も防ぐ手段となります。
【図面の簡単な説明】
【００１５】
【図１】は、本発明を実施するための構成図です。
【符号の説明】
１    ▲イ▼運転者情報カード（運転免許証と同じ情報を入力）
▲ロ▼車両カード（車両検査証と同じ情報を入力）
２    カードリーダー
３    カード情報管理装置
４    情報通信装置（携帯電話機を含む）ＧＰＳシステム付
５    スイッチ装置（電気切断及び接続）
６    バッテリー
７    エンジンスターターキィシリンダーとキィ
８    エンジン
９    アルコール呼気感知装置
１０  通信基地局
１１  ネットワーク
１２  運転免許証データベース
１３  車両検査データベース
１４  情報管理システム